【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
四角形の四隅の位置に配置される４個のコーナー部材；
両端がコーナー部材に支持されて隣接する２つのコーナー部材の間にそれぞれ架設され、隣接するコーナー部材同士の間を隣接するコーナー部材の方向に移動することが可能で、かつ、対向する枠材との関係では両端を支持している隣接する２つのコーナー部材と共に対向する枠材に近づく方向あるいは離れる方向に移動可能な４本の枠材；
前記各枠材の中を通って隣接する２つのコーナー部材の間にそれぞれ配置され両端側に鍔を有する４本のロッド；
前記鍔と前記コーナー部材の外縁との間に配設され前記ロッドの一端を前記コーナー部材の方向に付勢し、他端を前記コーナー部材の方向に付勢する弾性体からなり；
前記各枠材はシート状素材の周縁部又はシート状素材が張設された枠体が掛止される掛止部を有し；
前記４本の枠材の各々は隣接する前記コーナー部材同士の間を隣接する前記コーナー部材の方向及び対向する枠材に近づく方向あるいは離れる方向に移動可能である：
シート状素材の張設具。
【請求項２】
前記４個のコーナー部材の対向する１組のコーナー部材が隣接するコーナー部材との間に配置されている前記ロッドの端に当接して前記ロッドを隣接するコーナー部材の方向に移動させる移動機構を備え；
前記移動機構を備えている１組の対向するコーナー部材に隣接するコーナー部材に向かって延びている２本のロッドの中のどちらか一方のロッドの前記隣接するコーナー部材に向かう方向の移動を他方のロッドの前記隣接するコーナー部材から離れる方向への移動に変換すると共に、前記どちらか一方のロッドの前記隣接するコーナー部材から離れる方向への移動に他方のロッドの前記隣接するコーナー部材に向かう方向の移動を追随させる伝達機構が配備されている：
請求項１のシート状素材の張設具。
【請求項３】
前記４個のコーナー部材の中の１つのコーナー部材が隣接するコーナー部材との間に配置されている前記ロッドの端に常に当接し前記ロッドを隣接する前記コーナー部材の方向に向けて移動させる移動機構を備え；
移動機構を備えている前記コーナー部材に対向する位置のコーナー部材に延びている２本のロッドの各端は前記コーナー部材に固定され；
移動機構を備えているコーナー部材に隣接するコーナー部材に向かって延びている２本のロッドの中のどちらか一方のロッドの前記隣接するコーナー部材に向かう方向の移動を他方のロッドの前記隣接するコーナー部材から離れる方向への移動に変換すると共に、前記どちらか一方のロッドの前記隣接するコーナー部材から離れる方向への移動に他方のロッドの前記隣接する前記コーナー部材に向かう方向の移動を追随させる伝達機構が配備されている：
請求項１のシート状素材の張設具。
【請求項４】
前記４個のコーナー部材の対向する１組の前記コーナー部材が隣接する前記コーナー部材との間に配置されている前記ロッドの端に当接し前記ロッドを隣接する前記コーナー部材の方向に向けて移動させる移動機構をそれぞれ備え；
前記移動機構を備えている１組の対向するコーナー部材と隣接するコーナ部材との間にそれぞれ配置されている各ロッドの前記隣接するコーナー部材に向かって延びている側の端は前記隣接するコーナー部材にそれぞれ固定されている：
請求項１のシート状素材の張設具。
【請求項５】
前記４個のコーナー部材の中の１つのコーナー部材は隣接する２つのコーナー部材の中の一方のコーナー部材との間に配置されている前記ロッドの端に当接し、前記ロッドを前記一方のコーナー部材の方向に向けて移動させる移動機構を備えていると共に隣接する２つのコーナー部材の中の他方のコーナー部材との間に配置されている前記ロッドの端との間が固定的に接続され；
前記移動機構を備えているコーナー部材以外のコーナ部材に向かって延びている２本のロッドの中のどちらか一方のロッドのコーナ部材に向かう方向の移動を他方のロッドのコーナ部材から離れる方向への移動に変換すると共に、前記どちらか一方のロッドのコーナ部材から離れる方向への移動に他方のロッドのコーナ部材に向かう方向の移動を追随させる伝達機構が配備されている：
請求項１のシート状素材の張設具。
【請求項６】
前記移動機構は前記コーナー部材の角部に取り付けられ、前記角部と前記４個のコーナー部材で形成される四角形の中心側とを結ぶ方向で移動可能な挿入具を有し；
前記挿入具の先端が前記各ロッドの前記移動機構を備えているコーナー部材側の端とに当接している：
請求項１，請求項２，請求項３，請求項４又は請求項５のシート状素材の張設具。
【請求項７】
前記移動機構は前記コーナー部材の角部に取り付けられ、前記角部と前記４個のコーナー部材で形成される四角形の中心側とを結ぶ方向で移動可能な挿入具と球体とを有し；
前記球体は前記挿入具の先端と前記移動機構を備えているコーナー部材と隣接するコーナ部材との間に配置されているロッドの前記移動機構を備えているコーナー部材側の端との間に形成される空間内に移動可能に配置され；
前記挿入具の先端と前記各ロッドの前記移動機構を備えているコーナー部材側の端とに当接するように前記挿入具の先端と前記各ロッドの端との間に介装されている：
請求項１，請求項２，請求項３，請求項４又は請求項５のシート状素材の張設具。
【請求項８】
前記移動機構を備えているコーナー部材には前記４個のコーナー部材で形成される四角形の中心側に向かう方向の前記挿入具の移動量を規制するストッパが配備されている：
請求項６又は請求項７のシート状素材の張設具。
【請求項９】
各枠材は内部に中空部を有し；
各枠材の中を通って隣接する２つのコーナー部材の間にそれぞれ配置される４本のロッドは隣接する２つのコーナー部材の問で前記枠材の中空部に所定の間隔を開けて配置されている支持体によって、前記中空部内に支持されている：
請求項１，請求項２，請求項３，請求項４，請求項５，請求項６，請求項７又は請求項８のシート状素材の張設具。
【請求項１０】
前記掛止部が前記枠材が形成する面から突出しない位置に配置され；
前記枠材に形成された掛合突起が前記枠材が形成する面から突出していない：
請求項１，請求項２，請求項３，請求項４，請求項５，請求項６，請求項７，請求項８又は請求項９のシート状素材の張設具。
【請求項１１】
四角形の四隅の位置に配置される４個のコーナー部材；
両端がコーナー部材に支持されて隣接する２つのコーナー部材の間にそれぞれ架設され、隣接するコーナー部材同士の間を隣接するコーナー部材の方向に移動することが可能で、かつ、対向する枠材との関係では両端を支持している隣接する２つのコーナー部材と共に対向する枠材に近づく方向あるいは離れる方向に移動可能な４本の枠材；
前記各枠材の中を通って隣接する２つのコーナー部材の間にそれぞれ配置され両端側に鍔を有する４本のロッド；
前記鍔と前記コーナー部材の外縁との間に配設され前記ロッドの一端を前記コーナー部材の方向に付勢し、他端を前記コーナー部材の方向に付勢する弾性体からなり；
前記各コーナー部材はシート状素材の端部又はシート状素材が張設された枠体の端部が掛止される掛止部を有し；
前記４本の枠材の各々は隣接する前記コーナー部材同士の間を隣接する前記コーナー部材の方向及び対向する枠材に近づく方向あるいは離れる方向に移動可能である：
シート状素材の張設具。
【請求項１２】
前記４個のコーナー部材の対向する１組のコーナー部材が隣接するコーナー部材との間に配置されている前記ロッドの端に当接して前記ロッドを隣接するコーナー部材の方向に移動させる移動機構を備え；
前記移動機構を備えている１組の対向するコーナー部材に隣接するコーナー部材に向かって延びている２本のロッドの中のどちらか一方のロッドの前記隣接するコーナー部材に向かう方向の移動を他方のロッドの前記隣接するコーナー部材から離れる方向への移動に変換すると共に、前記どちらか一方のロッドの前記隣接するコーナー部材から離れる方向への移動に他方のロッドの前記隣接するコーナー部材に向かう方向の移動を追随させる伝達機構が配備されている：
請求項１１のシート状素材の張設具。
【請求項１３】
前記４個のコーナー部材の中の１つのコーナー部材が隣接するコーナー部材との間に配置されている前記ロッドの端に常に当接し前記ロッドを隣接する前記コーナー部材の方向に向けて移動させる移動機構を備え；
移動機構を備えている前記コーナー部材に対向する位置のコーナー部材に延びている２本のロッドの各端は前記コーナー部材に固定され；
移動機構を備えているコーナー部材に隣接するコーナー部材に向かって延びている２本のロッドの中のどちらか一方のロッドの前記隣接するコーナー部材に向かう方向の移動を他方のロッドの前記隣接するコーナー部材から離れる方向への移動に変換すると共に、前記どちらか一方のロッドの前記隣接するコーナー部材から離れる方向への移動に他方のロッドの前記隣接する前記コーナー部材に向かう方向の移動を追随させる伝達機構が配備されている：
請求項１１のシート状素材の張設具。
【請求項１４】
前記４個のコーナー部材の対向する１組の前記コーナー部材が隣接する前記コーナー部材との間に配置されている前記ロッドの端に当接し前記ロッドを隣接する前記コーナー部材の方向に向けて移動させる移動機構をそれぞれ備え；
前記移動機構を備えている１組の対向するコーナー部材と隣接するコーナ部材との間にそれぞれ配置されている各ロッドの前記隣接するコーナー部材に向かって延びている側の端は前記隣接するコーナー部材にそれぞれ固定されている：
請求項１１のシート状素材の張設具。
【請求項１５】
前記４個のコーナー部材の中の１つのコーナー部材は隣接する２つのコーナー部材の中の一方のコーナー部材との間に配置されている前記ロッドの端に当接し、前記ロッドを前記一方のコーナー部材の方向に向けて移動させる移動機構を備えていると共に隣接する２つのコーナー部材の中の他方のコーナー部材との間に配置されている前記ロッドの端との間が固定的に接続され；
前記移動機構を備えているコーナー部材以外のコーナ部材に向かって延びている２本のロッドの中のどちらか一方のロッドのコーナ部材に向かう方向の移動を他方のロッドのコーナ部材から離れる方向への移動に変換すると共に、前記どちらか一方のロッドのコーナ部材から離れる方向への移動に他方のロッドのコーナ部材に向かう方向の移動を追随させる伝達機構が配備されている：
請求項１１のシート状素材の張設具。
【請求項１６】
前記移動機構は前記コーナー部材の角部に取り付けられ、前記角部と前記４個のコーナー部材で形成される四角形の中心側とを結ぶ方向で移動可能な挿入具を有し；
前記挿入具の先端が前記各ロッドの前記移動機構を備えているコーナー部材側の端に当接している：
請求項１１，請求項１２，請求項１３，請求項１４又は請求項１５のシート状素材の張設具。
【請求項１７】
前記移動機構は前記コーナー部材の角部に取り付けられ、前記角部と前記４個のコーナー部材で形成される四角形の中心側とを結ぶ方向で移動可能な挿入具と球体とを有し；
前記球体は前記挿入具の先端と前記移動機構を備えているコーナー部材と隣接するコーナ部材との間に配置されているロッドの前記移動機構を備えているコーナー部材側の端との間に形成される空間内に移動可能に配置され；
前記挿入具の先端と前記各ロッドの前記移動機構を備えているコーナー部材側の端とに当接するように前記挿入具の先端と前記各ロッドの端との間に介装されている：
請求項１１，請求項１２，請求項１３，請求項１４又は請求項１５のシート状素材の張設具。
【請求項１８】
前記移動機構を備えているコーナー部材には前記４個のコーナー部材で形成される四角形の中心側に向かう方向の前記挿入具の移動量を規制するストッパが配備されている：
請求項１７又は請求項１８のシート状素材の張設具。
【請求項１９】
各枠材は内部に中空部を有し；
各枠材の中を通って隣接する２つのコーナー部材の間にそれぞれ配置される４本のロッドは隣接する２つのコーナー部材の問で前記枠材の中空部に所定の間隔を開けて配置されている支持体によって、前記中空部内に支持されている：
請求項１１，請求項１２，請求項１３，請求項１４，請求項１５，請求項１６，請求項１７，請求項１８又は請求１９のシート状素材の張設具。
【請求項２０】
前記掛止部が前記枠材が形成する面から突出しない位置に配置され；
前記枠材に形成された掛合突起が前記枠材が形成する面から突出していない：
請求項１１，請求項１２，請求項１３，請求項１４，請求項１５，請求項１６，請求項１７，請求項１８又は請求項１９のシート状素材の張設具。
【手続補正２】
【補正対象書類名】明細書
【補正対象項目名】０１２０
【補正方法】変更
【補正の内容】
【０１２０】
図１７，図１８，図１９，図２０，図２１に実施例６に示した張設具１にメタルシートを張設した状態を、図２３にメタルシートを示す。
【手続補正３】
【補正対象書類名】明細書
【補正対象項目名】０１２１
【補正方法】変更
【補正の内容】
【０１２１】
メタルシート９１には、四隅が内側に湾曲した形状に切り取られている。こ破切取部５１０は、メタルシート９１の四周を折り返す場合などに、四隅で折り返し部が重なり合うのを防止する上で有効である。
【手続補正４】
【補正対象書類名】明細書
【補正対象項目名】０１２２
【補正方法】変更
【補正の内容】
【０１２２】
また、本発明のシート状素材の張設具１には、４つのコーナー部材２，３，４，５の内側にそれぞれ、切取部５１０に対応する形状の突設片５１１を配備しておく。